(57)【要約】【課題】  本発明では、複数の置き方が可能なスキャナにおいて、どのような置き方をしても、使用者の見やすい向きに、各ボタンの機能を表示する。【解決手段】  スキャナの本体に情報表示部としてLCDを装備し、また、LCDの向きを自動または手動で指定する手段を備えることで、使用者の見やすい向きに、各ボタンの機能を表示する。【選択図】  図９
2009141592.tif 000002
【特許請求の範囲】
【請求項１】
動作モードを指定するためのボタンと、設定情報を表示するためのLCDとを備えたスキャナにおいて、前記LCDには画像データを表示できることを特徴としたスキャナ。
【請求項２】
請求項１に記載のスキャナにおいて、
LCDに表示する画像データを、前記スキャナと接続している外部装置で作成し、前記画像データを前記スキャナにダウンロードして表示することを特徴としたスキャナ。
【請求項３】
請求項２に記載のスキャナにおいて、
本体の向きを検知するセンサを内部に備えることを特徴としたスキャナ。
【請求項４】
請求項２に記載のスキャナにおいて、
本体の向きを指定するためのスイッチを備えることを特徴としたスキャナ。
【請求項５】
請求項２に記載のスキャナにおいて、
外部装置に本体の向きを指定するための指定方法を備えていて、装置本体に対して指定を行なえることを特徴としたスキャナ。
【請求項６】
請求項３に記載のスキャナにおいて、
前記センサにより検出した本体の向きによって、前記情報表示部に表示する画像データの向きを切り替えることを特徴としたスキャナ。
【請求項７】
請求項４に記載のスキャナにおいて、
前記本体の向きを指定するためのスイッチにより指定された本体の向きによって、前記情報表示部に表示する画像データの向きを切り替えることを特徴としたスキャナ。
【請求項８】
請求項５に記載のスキャナにおいて、
前記外部装置により指定された本体の向きによって、前記情報表示部に表示する画像データの向きを切り替えることを特徴としたスキャナ。
【請求項９】
請求項５に記載のスキャナにおいて、
前記外部装置は指定された本体の向きによって、前記情報表示部に表示するための画像データの向きを外部装置内で補正して、画像表示部に対して指定することを特徴としたスキャナ。
【請求項１０】
請求項２に記載のスキャナにおいて、本体の向きを検知するセンサを内部に備え、且つ外部装置に本体の向きを指定するための指定方法を備えていて、どちらを優先させるか設定が可能であることを特徴としたスキャナ。
【発明の詳細な説明】
【技術分野】
【０００１】
スキャナやマルチファンクションプリンタなどの装置は、本体にボタンを有し、外部装置として接続しているPC側からの動作指定を行なわなくても、本体のボタンを使用してスキャンを行なったり、スキャンを行なったあとの動作を指定することが可能である。これら本体のボタンを間違いなく使用するためには、ボタン機能の表示が必須である。
【背景技術】
【０００２】
従来、画像読取装置としてイメージセンサを用いたイメージスキャナが知られている。図1はフラットベット型スキャナと呼ばれるものの構成例を簡単に示したもので、図1（a）は側面図、図1（b）は図1（a）の原稿台を上から見た図である。図1（a）に示すように、光学ユニット103を原稿台101に平行に図中AからBに走査することにより、図1（b）の原稿読取領域102の原稿を読み取り、イメージセンサから画像信号を得る。この場合、図1（b）に示すように0からXに向かう方向が主走査方向、0からYに向かう方向が副走査方向となる。光学ユニット103にコンタクトイメージセンサ（CIS）を用いたり、光学系の小型化を進めることで、イメージスキャナ本体の薄型化が可能になった。これによって、通常の水平面に対して、原稿台が平行となる置き方のほかに、スキャナをスタンドに立て掛ける原稿台の主操作方向が、水平面に対して垂直に近い立て置きでの画像読み取りも行なえる。また、図1の104に示すように、本体にボタンを備え、このボタンの押下により、スキャンした画像を保存したり、メール添付したり、画像処理ソフトに渡したりといった、スキャン後の動作まで指定した動作を行なうことが可能である。市販のフラットベッド側イメージスキャナでは、図2に示す「横置き」、図3に示す「縦置き」、図4に示す「立て置き」といった３種類の置き方が可能である。これにより、使用者の好みや使用する環境にあわせた置きかたでスキャンを行なうことができる。
【０００３】
又、別の従来例としては、下記特許文献１と特許文献２をあげることが出来る。
【特許文献１】特開2001-119510号公報
【特許文献２】特開2002-073241号公報
【発明の開示】
【発明が解決しようとする課題】
【０００４】
前述の複数向きの置き方を行なえるスキャナは、好みや環境にあわせて使用ができるという点でメリットがある。しかしながら、スキャナ本体に備えているボタンは、その機能を現す表示が、必ずしも個々の置き方に適した向きであるとは限らない。図3に示す「縦置き」の使い方を行なっている場合には、ボタンの向きがあっているが、図2の「横置き」の場合には、ボタンのアイコンと名称の表示を時計回りに90度回転させたほうが見やすくなる。また、図4に示す「立て置き」をした場合にも、スキャナ本体の角度がどちらかといえば垂直に近いため、ボタンのアイコンと名称の表示を反時計回りに90度回転させたほうが、見やすくなる。
【課題を解決するための手段】
【０００５】
スキャナの本体に情報表示部としてLCDを装備し、また、LCDの向きを指定する手段を備えることで、使用者の見やすい向きに、各ボタンの機能を表示する方法を提案する。
【発明の効果】
【０００６】
この発明によれば、複数の置き方が可能なスキャナにおいて、どのような置き方をしても、使用者の見やすい向きに、各ボタンの機能を表示することが可能である。
【発明を実施するための最良の形態】
【０００７】
次に、本発明の詳細を実施例の記述に従って説明する。
【０００８】
以下に、図面に基づいて本発明を適用した実施例を説明する。
【実施例１】
【０００９】
図5はLCD表示部を備えたスキャナ操作部の例である。ここでは、ボタン４つを有し、501のボタン１にコピー機能の割り当て、502のボタン2にスキャン機能の割り当て、503のボタン3にPDFファイル作成機能の割り当て、504のボタン4にE-MAIL添付機能の割り当てを行なって、505に示すLCD表示部にそれぞれのボタンの機能を表示している。505LCD表示部には、ボタンの機能割り当ての表示のみではなく、「設定：書類、A4、300dpi、PDF、グレー」のように、スキャンを行なう場合の設定も表示することが可能である。情報表示部のLCDは、フォント情報を備えたコントローラは必要ではなく、スキャナに接続して制御を行なう外部装置（PC）で、BMPなどの画像情報としてLCDに表示する情報を作成し、スキャナ本体の情報表示部に、それをダウンロードして表示する。このように、LCDへの表示を文字データでなく画像データで行なうことにより、LCDの向きにとらわれることのない制御が可能となる。また、図8のLCD表示部805に示す例のように、LCDの表示部に、文字データだけでなく、各ボタンの機能を示すアイコンを表示することも可能となる。ボタンの機能を表示するアイコンのほかにも、カラーやモノクロなどの設定を示すアイコンなども表示が可能である。図5、図8のLCD表示は、図3の「縦置き」の場合に適した表示である。これに対し、図2の横置きの場合に適したLCD表示の例を、図6のLCD表示部605に、図4の立て置きの場合に適したLCD表示の例を、図7のLCD表示部705に示す。LCDのサイズが長方形であり、その短辺に水平に文字列を表示する場合は、605、705のLCD表示部のようにボタン名称のみを表示し、長辺に水平に表示する場合には、505のLCD表示部のように、スキャンの条件など詳しい設定も表示させることができる。また、日本語のように縦書き可能な言語では、605、705のような場合でも、長辺に沿ってスキャンの条件を縦書き表示することも可能である。
【００１０】
LCDの表示を、図5の505の縦置き対応表示、図6の605の横置き対応表示、図7の705の立て置き対応表示に切り替えるための方法として、スキャナ本体にセンサを装備して、原稿台面が水平か、それとも立て置きの垂直に近い状態かを検知するという手法がある。しかし、この方法であると、2通りの表示向き切り替えは自動で可能であるが、505の縦置き対応表示をするか、605の横置き対応表示をするかを、自動で切り替えることはできない。この、505の縦置き対応表示か605の横置き対応表示かを切り替える方法として、PCで、スキャナ本体が水平の場合に、どちらの表示をするのか設定をする画面を設けることが、対応として考えられる。また、自動で、505の縦置き対応表示か605の横置き対応表示かを切り替えるために、図10に示すように、I/Fケーブルの接続口を2箇所設けて、スキャナ本体が水平の場合にどちらの接続口でPCと接続されているかを検知することで、切り替えるといった方法も可能である。例として、図10の1001 I/Fケーブル接続口Aで接続されている場合には横置きとみなして605の表示を行い、1002 I/Fケーブル接続口Bで接続されている場合には、縦置きとみなして505の表示を行うといった、切り替えが考えられる。
【実施例２】
【００１１】
第一の実施例の、LCD表示505、605、705を切り替えるための手段として、センサなどによる自動検知を利用するのではなく、図9の906に示すように、三方向の向き切り替えスイッチを操作部に設ける。または、906の向き切り替えスイッチに相当する向き指定機能を、PC側のソフトウエアに備える。
【図面の簡単な説明】
【００１２】
【図１】フラットベッドスキャナの構成例。
【図２】スキャナ横置き例。
【図３】スキャナ縦置き例。
【図４】スキャナ立て置き例。
【図５】スキャナ操作部例（縦置き対応）。
【図６】スキャナ操作部例（横置き対応）。
【図７】スキャナ操作部例（立て置き対応）。
【図８】スキャナ操作部例（アイコン表示）。
【図９】スキャナ操作部例（向き指定スイッチ）。
【図１０】I/Fケーブル接続口を2箇所持つスキャナ構成例。
【図１】
2009141592.tif 000003
【図２】
2009141592.tif 000004
【図３】
2009141592.tif 000005
【図４】
2009141592.tif 000006
【図５】
2009141592.tif 000007
【図６】
2009141592.tif 000008
【図７】
2009141592.tif 000009
【図８】
2009141592.tif 000010
【図９】
2009141592.tif 000011
【図１０】
2009141592.tif 000012